(57)【要約】　　　（修正有）【課題】布団類を収納し得る袋であって、店頭等においてその収納状態にて布団類を効果的に陳列することができる布団類陳列袋の提供。【解決手段】布団類を折り畳み収納された状態で陳列するのに使用される袋であって、直方体もしくはそれに近い形状の袋内空間を形成しうる袋地２と、略ロ字形の一対の枠であって、袋の正面側３と背面側４とにそれぞれ対向して袋地内に取付けられ、これにより袋を直方体もしくはそれに近い形状に保持し得る一対の形状支持枠と、袋地表面の一部に取付けられた、布団類を出し入れ可能に袋を開閉することができるファスナー６よりなり、かつ、袋の少なくとも正面部は透明材により形成されていることを特徴とする布団類陳列袋１。【選択図】図１
2004042972.tif 000002
【特許請求の範囲】
【請求項１】
布団類を折り畳み収納された状態で陳列するのに使用される袋であって、直方体もしくはそれに近い形状の袋内空間を形成しうる袋地と、略ロ字形の一対の枠であって、袋の正面側と背面側とにそれぞれ対向して該袋地内に取付けられ、これにより袋を直方体もしくはそれに近い形状に保持し得る一対の形状支持枠と、前記袋地表面の一部に取付けられた、布団類を出し入れ可能に袋を開閉することができるファスナーよりなり、かつ、袋の少なくとも正面部は透明材により形成されていることを特徴とする布団類陳列袋。
【請求項２】
さらに取手部が設けられている請求項１記載の布団類陳列袋。
【請求項３】
前記取手部は略Ｉ字形状をなし、その両端部の接着部位において、手持ち部位に近い内側部分は熱溶着されず、該手持ち部位より離れた外側部分は周縁にわたって熱溶着されていることを特徴とする請求項２記載の布団類陳列袋。
【請求項４】
前記取手部の前記手持ち部位から前記接着部位に連なる箇所に、収納された布団類の荷重を分散して作用せしめる切込み部を形成してなることを特徴とする請求項２記載の布団類陳列袋。
【発明の詳細な説明】
【０００１】
【発明の属する技術分野】
本発明は、布団類を収納し得る袋であって、店頭等においてその収納状態にて布団類を効果的に陳列することができる布団類陳列袋に関する。
【０００２】
【従来の技術】
従来より、店頭等においては、布団類は折り畳まれた状態でそのまま棚に置かれて陳列されていることが多い。そして通常はその折り畳まれた状態で複数積み重ねられている為、購入者が実際に目にすることが出来るのは主にその折り畳まれた部分のみであって、布団類のデザインをごく一部しか見ることが出来ない。したがって陳列されていてもその宣伝効果が低いのが現状である。さらには、購入された際には購入者が持ち帰りやすい大きさに改めて畳み直した上に包装する手間をかける必要がある。そこで、店頭でその収納状態にて布団類を効果的に陳列することができる布団類陳列用の袋の開発が望まれている。
一方、布団類の運搬に用いられる布団類収納袋としては、例えば、図７に示すようなものが知られている。布団類収納袋１８は直方体に近い内部空間を形成することができる袋であるが、一定の形状を保持できないものであり、しかもその材質の大部分は織布等の不透明な材料により構成されている。なお、布団類収納袋１８はファスナー１９により開閉できるので、必要に応じて布団類を容易に出し入れすることが可能である。
【０００３】
【発明が解決しようとする課題】
しかしながら、上述した布団類収納袋１８は、店頭における布団類の陳列の為の収納袋としてそのまま使用するには適しているとは言い難い。すなわち、通常不透明の袋である為、外部から布団類のデザインを直接に見ることができず、したがって目的の布団類のデザインの確認には、複数の収納袋が配置された棚から目的の布団類収納袋１８を一旦引き出し、ファスナー１９を開ける必要がある等、作業が非常に煩わしい点が挙げられる。
そこで、収納された布団類のデザインを外部から直接に確認する為に、布団類収納袋１８の一部又は全てを透明のシートで構成する手段をとることも考えられるが、特に面積の比較的小さな面が底面となる袋の配置は、大変不安定であり、その形状が維持できず崩れやすい。その為、陳列する場合は、面積が最も大きな面を底面にした安定な配置をとらざるを得ないが、その場合、外部から直接目にすることができるのは、布団類の折り畳み部分に限られてしまう。したがって収納された布団類のデザインのごく一部しか見ることができず、陳列効果は極めて低い。
このように、従来のような布団収納袋は、店頭において布団類陳列用の袋としてそのまま使用するには幾つかの課題が残る。
【０００４】
【課題を解決するための手段】
本発明は上記課題を解決する為になされたものであって、布団類を折り畳み収納された状態で陳列するのに使用される袋であって、直方体もしくはそれに近い形状の袋内空間を形成しうる袋地と、略ロ字形の一対の枠であって、袋の正面側と背面側とにそれぞれ対向して該袋地内に取付けられ、これにより袋を直方体もしくはそれに近い形状に保持し得る一対の形状支持枠と、前記袋地表面の一部に取付けられた、布団類を出し入れ可能に袋を開閉することができるファスナーよりなり、かつ、袋の少なくとも正面部は透明材により形成されていることを特徴とする布団類陳列袋に関する。その中で好ましい態様は、さらに取手部が設けられている前述の布団類陳列袋に関する。さらに好ましくは、前記取手部は略Ｉ字形状をなし、その両端部の接着部位において、手持ち部位に近い内側部分は熱溶着されず、該手持ち部位より離れた外側部分は周縁にわたって熱溶着されていることを特徴とする前述の布団類陳列袋に関する。さらにまた好ましい態様は、前記取手部の前記手持ち部位から前記接着部位に連なる箇所に、収納された布団類の荷重を分散して作用せしめる切込み部を形成してなることを特徴とする前述の布団類陳列袋に関する。
【０００５】
本発明の布団類陳列袋は、布団類を折り畳んで収納し、かつその状態で陳列することが出来るものである。その構成要素の一つは袋内空間を形成しうる袋地からなることであり、該袋地は直方体もしくはそれに近い形状の袋内空間を形成し得、布団類は該空間内に収納される。
該袋地を構成する材質としては、焼却の際におけるダイオキシン類の発生の恐れが少ないポリオレフィン、ポリアミド、アクリル、セルロース、セルロース誘導体等の合成樹脂からなる不織布が好ましく挙げられる。不織布は軽量であり、かつ、一般に通気性が良好である為、陳列袋内の空気を速やかに排気することができる。すなわち、空気を排気することで布団類が嵩張らずに陳列袋内に布団類を収納することができると共に、陳列袋内に空気が滞留することを防止し、カビなどの繁殖を防止して、陳列袋内を清潔な状態に保持する。
【０００６】
さらに、本布団類陳列袋の構造上の大きな特徴は、本布団類陳列袋の正面側と背面側とにそれぞれ対向して該袋地内に取付けられ、これにより袋を直方体もしくはそれに近い形状に保持し得る一対の略ロ字形の形状支持枠が備えられている点である。該形状支持枠によって、布団類を収納し、面積が比較的小さな面を底面に陳列しても、本布団類陳列袋の形状が崩れることがなく、安定した状態で配置することが出来る。なお、本布団類陳列袋の正面側とは、陳列された際に購入者が直接目にすることが出来る面積の大きな面側であり、背面側とは、正面側に対向する側を指す。
【０００７】
略ロ字形の形状支持枠は、本布団類陳列袋の正面側及び背面側においてぞれぞれ対向して取付けられるが、該枠のそれぞれの一辺が袋の正面部及び背面部のそれぞれ対応する一辺と実質同じ長さであることが好ましい。正面部及び背面部のそれぞれ対応する一辺よりも短すぎると、形状支持としての効果が低下する。
形状支持枠の取り付けの方法は特に制限はなく、例えば正面部及び背面部の外周縁の内側に外周縁全体にわたって外周縁に連なる管状の通路を形成し、その管状の通路の中に形状支持枠を通す構造をとっても良いし、形状支持枠を外周縁に直接接着する方法であっても良い。形状支持枠は通常はロ字形状であるが、使用される布団類陳列袋の正面部及び背面部の形状に合わせ、例えば四隅が直角であっても、或いはその四隅が湾曲していても差し支えない。また、その断面の形状も特に制限されず、円、三角或いは四角等であったりしてよい。形状支持枠の材質としては特に問わず、金属であっても良いし、又は軽く、錆びて腐蝕することのない合成樹脂、特にポリエチレンやポリプロピレンが好ましく用いられる。また形状支持枠の太さとしては、その材質にもよるが、収納した布団類の重さがかかっても破損を生じない程度において、２ないし１０ｍｍが好ましい。かかる形状支持枠は、正面側及び背面側においてそれぞれ単独で使用されるが、状況に応じて複数同時に使用されてももちろん構わない。
【０００８】
また、本発明の布団類陳列袋は、その少なくとも正面部は透明材により形成されていることを特徴とする。かかる構造によって、陳列された状態において、本陳列袋に収納された布団類のデザインを正面部を通して外部から容易に見ることができる。透明材の材質としては、シート状もしくはフィルム状のポリエチレン又はポリプロピレン等が好ましい。かかる透明材は、特に無色透明のものが好ましいが、収納物である布団類を明確に確認することができる範囲内において着色されていても良いし、または部分的に模様などが付与されていても構わない。
【０００９】
本発明のさらなる構成要素の一つは、袋地表面の一部に取付けられた、布団類を出し入れ可能に袋を開閉することができるファスナーを設けてなる点である。開閉手段としてはかかるファスナーが好ましいが、その他に例えばホック、マジックテープ（登録商標）等が挙げられ、これらを単独または組み合わせて使用することもできる。ファスナー及びホックが開閉手段として用いられる場合は、錆び付いて開閉が困難となることのない、ポリプロピレン又はポリエチレン等の合成樹脂製が好ましい。
【００１０】
また、布団類が収納された本布団類陳列袋の運搬は、頂面部のほぼ中央に接着された取手部を手に持つことで容易に行える。好ましいのは、取手部は略Ｉ字形状をなし、その両端部の接着部位において、手持ち部位に近い内側部分は熱溶着されず、該手持ち部位より離れた外側部分は周縁にわたって熱溶着されている態様である。かかる構造にすると、布団類の収納された本布団類陳列袋を手に提げて持ち運ぶ際、布団類の荷重は袋本体と取手部との接着面に平行な方向に作用するので、袋本体と取手部の接着強度がより高まる。更に好ましいのは、手持ち部位から接着部位に連なる箇所に、収納された布団類の荷重を分散して作用せしめる切込み部を形成してなる態様である。かかる切込み部の形成により、布団類の持ち運びの際のその荷重が分散されて、袋体と取手部との接着面にかかる荷重がより軽減される。取手部は、熱溶着加工され得る合成樹脂のシートもしくはフィルムから形成され、袋地を構成する合成樹脂と同様に、廃棄、焼却時にダイオキシン類を生じないポリオレフィン、ポリアミド、アクリル、セルロース、セルロース誘導体等から形成されることが好ましい。
【００１１】
本発明の布団類陳列袋は、特別な手段を用いることなく慣例の方法により容易に製造され得る。例えば該袋のそれぞれの面を形成する不織布をそれぞれ別途用意し、互いにその辺縁を接合することにより製造され得る。又は、目的とする製品の直方体を平面に展開した形状に一体成形された不織布から製造されても好ましい。接合方法としては、糸による縫着や、接着剤による接着、或いは熱を用いた溶着等が挙げられる。
【００１２】
以上説明したように、本発明の布団類陳列袋は、その正面側と背面側とにそれぞれ対向して袋を直方体もしくはそれに近い形状に保持し得る一対の形状支持枠が取付けられていることを特徴とする。その為、面積の比較的小さい面を底面として配置しても、布団類陳列袋がその形状を崩してしまうおそれがない。したがって、面積の大きな透明な面を正面部とすることができるので、収納された布団類のデザインを正面部を通して外部から容易に見ることができる。このように、本発明の布団類陳列袋は、店頭における陳列に非常に適した構造を有する。
【００１３】
【実施例】
図面を参照して本発明をさらに詳しく説明する。以下の実施例は本発明を限定することを目的とするものではない。
【００１４】
実施例１．
本発明の布団類陳列袋の一態様を図１及び図２に示す。図１は本実施例の布団陳列袋１を示す斜視図であり、図２は布団陳列袋１を示す平面図である。布団陳列袋１は、直方体形状の袋内空間を形成しうる袋地２と、略ロ字形の一対の枠であって、袋の正面部３と背面部４とにそれぞれ対向して該袋地内に取付けられ、これにより袋を直方体形状に保持し得る一対の形状支持枠５と、布団類を出し入れ可能に袋を開閉することができるファスナー６よりなる。袋地２のうち、正面部３の全てと、底面部７から左右の側面側の下部ａ及びａ’にわたる部分はポリエチレン製の透明材からなり、その他の部分はポリプロピレン製の不識布からなっている。また、正面部３及び背面部４のそれそれの外周縁８の内側において、外周縁８全体にわたって外周縁８に連なる管状の通路が形成されているが、図２におけるＡ−Ａ’線で切断した断面図である図３に示すように、その管状の通路の中に形状支持枠５がそれぞれ通されて備えられている。図４に示すように、形状支持枠５は略ロ字形であるが、その四隅が直角ではなく湾曲した形状に成形されている。この為、その四隅に対応する外周縁８の袋地が突き破れてしまうことがない。また本実施例においては、形状支持枠５の断面は幅４ｍｍの略円形状を有しており、全体にわたってポリプロピレンから構成されるものである。形状支持枠５によって、布団類を収納したとしても布団類陳列袋１の形状が支持される。よって比較的面積の小さな面を底面として陳列したとしても、布団類陳列袋１の形状が崩れてしまうおそれがない。したがって図５に示されるように、ポリエチレン製の透明材である正面部３を通して、収納された布団９のデザインが一目で分かる為、店頭での陳列に非常に適している。
また、頂面部１０のほぼ中央にはポリエチレン製の取手部１１が熱溶着により取り付けられており、これを手に持つことで布団収納袋１を運搬することができる。取手部１１は、図６に示すように略Ｉ字形状をなしており、その両端部の接着部位１２及び中央の手持ち部位１３から構成される。取手部１１は、頂面部１０に熱溶着されて溶着部１４を形成しているが、実質的に接着部位１２の周縁に沿う外側部分１５が熱溶着され、手持ち部位１３に近い内側部分１６は熱溶着されていない。また、手持ち部位１３から接着部位１２に連なる箇所に、収納された布団類の荷重を分散して作用せしめる切込み部１７を形成してなる為、布団類の荷重によって接着部位１２からちぎれてしまうおそれが少ない。
また、布団陳列袋１には、ポリエチレンからなるファスナー６が設けられているが、布団類を出し入れする場合は、このファスナー６を開閉することによって行う。
【００１５】
【発明の効果】
以上説明したように、本発明の布団陳列袋は、正面部及び背面部の外周縁にわたって、該正面部及び背面部の形状を支持する為の略ロ字形状の支持枠が取り付けられている。かかる構造をとることによって、本布団陳列袋は、比較的面積の小さな長方形の面を底面にして配置しても、正面部及び背面部が型崩れを起こすおそれがなく、転倒を有効に防ぐ効果を奏する。そして、本発明の袋は比較的面積の大きな透明な正面部を通して、収納された布団類のデザインを外部から見やすく、陳列宣伝効果が飛躍的に高いものとなり、店頭等での布団類の陳列の為の収納袋として大変適している。さらには、販売者が包装する手間をかけることなく、収納された状態で購入者がそのまま持ち帰ることができる。
【図面の簡単な説明】
【図１】本発明の布団類陳列袋１を示す斜視図である。
【図２】本発明の布団類陳列袋１を示す平面図である。
【図３】図２におけるＡ−Ａ’線で切断した断面図である。
【図４】形状支持枠５の斜視図である。
【図５】布団９を収納した本発明の布団類陳列袋１の斜視図である。
【図６】取手部１１の平面図である。
【図７】従来の布団類収納袋１８の斜視図である。
【符号の説明】
１　　布団陳列袋　　　２　　袋地　　　　　　３　　正面部
４　　背面部　　　　　５　　形状支持枠　　　６　　ファスナー
７　　底面部　　　　　８　　外周縁　　　　　９　　布団
１０　　頂面部　　　　１１　　取手部　　　　１２　　接着部位
１３　　手持ち部位　　１４　　溶着部　　　　１５　　外側部分
１６　　内側部分　　　１７　　切込み部　　　１８　　布団収納袋
１９　　ファスナー
【図１】
2004042972.tif 000003
【図２】
2004042972.tif 000004
【図３】
2004042972.tif 000005
【図４】
2004042972.tif 000006
【図５】
2004042972.tif 000007
【図６】
2004042972.tif 000008
【図７】
2004042972.tif 000009